(57)【要約】【課題】  ディスク情報構造を速やかに探し、ディスク情報構造の柔軟性及び拡張性を保証可能にする記録／再生方法を提供することを目的とする。【解決手段】  一層以上の情報記録層を有する情報記録媒体にデータを記録するか、または前記媒体からデータを読み取る記録／再生方法において、前記情報記録媒体に記録された、前記情報記録媒体の記録特性に対応する記録と関連したパラメータに関する情報、及び前記記録と関連したパラメータが適用される前記記録特性に関する情報を含む一つ以上のディスク情報構造を参照して、前記情報記録媒体にデータを記録するステップを含むことを特徴とする。【選択図】      図９
2008159264.tif 000002
【特許請求の範囲】
【請求項１】
一層以上の情報記録層を有する情報記録媒体にデータを記録するか、または前記媒体からデータを読み取る記録／再生方法において、
前記情報記録媒体に記録された、前記情報記録媒体の記録特性に対応する記録と関連したパラメータに関する情報、及び前記記録と関連したパラメータが適用される前記記録特性に関する情報を含む一つ以上のディスク情報構造を参照して、前記情報記録媒体にデータを記録するステップを含むことを特徴とする記録／再生方法。
【請求項２】
前記記録特性に関する情報は、記録速度、記録層、ＷＳ識別情報のうち、少なくとも一つを含むことを特徴とする請求項１に記載の記録／再生方法。
【請求項３】
前記記録特性に関する情報に含まれた前記記録速度と記録層とは、前記ディスク情報構造内にある記録と関連したパラメータを適用できる記録速度と記録層とを表すことを特徴とする請求項２に記載の記録／再生方法。
【請求項４】
前記記録特性に関する情報に含まれたＷＳ識別情報は、前記ディスク情報構造内にある記録と関連したパラメータで説明されるＷＳを表すことを特徴とする請求項２に記載の記録／再生方法。
【請求項５】
前記記録特性に関する情報に含まれた前記ＷＳ識別情報は、所定のＷＳ及び前記ＷＳと関連ない所定の機能の組み合わせを代表する情報を表すことを特徴とする請求項２に記載の記録／再生方法。
【請求項６】
前記情報記録媒体は、再生専用のタイプ、再記録可能なタイプ、または１回記録可能なタイプのうち、いずれか一つであることを特徴とする請求項１に記載の記録／再生方法。
【請求項７】
前記記録ステップは、
前記記録／再生装置に適した記録と関連したパラメータを得るために、前記一つ以上のディスク情報構造に含まれた前記記録特性に関する情報から、前記記録／再生装置の記録特性に関する情報を探すことを特徴とする請求項１に記載の記録／再生方法。
【請求項８】
前記記録ステップは、
記録／再生装置に適した記録特性を決定するステップと、
前記一つ以上のディスク情報構造から、前記決定された記録特性に関する情報を含むディスク情報構造を探すステップと、
前記探したディスク情報構造に含まれた記録と関連したパラメータを利用して、前記情報記録媒体にデータを記録するステップとを含むことを特徴とする請求項１に記載の記録／再生方法。
【請求項９】
一層以上の情報記録層を有するディスクにデータを記録するか、または前記ディスクからデータを再生する方法において、
ドライブシステムに適切な記録環境を決定するステップと、
前記ディスクのディスク情報領域に記録されたディスク情報構造を読み取り、前記決定された記録環境と同一な情報を収めているパラメータ認識情報テーブルを探すステップと、
前記パラメータ認識情報テーブルから、記録と関連したパラメータを読み取るステップと、
前記ドライブシステムに設定パラメータを設定し、前記設定されたパラメータにより前記ディスクにデータが記録されるように、前記ドライブシステムを制御するステップとを含むことを特徴とする方法。
【請求項１０】
前記ドライブシステムは、前記パラメータ認識情報テーブルに保存された前記記録と関連したパラメータを読み取らずとも、ＷＳ識別情報から前記ディスク情報構造が適用しようとするＷＳを知ることができることを特徴とする請求項９に記載の記録／再生方法。
【請求項１１】
前記パラメータ認識情報テーブルは、記録速度、記録層、ＷＳ識別情報を含むことを特徴とする請求９に記載の記録／再生方法。
【発明の詳細な説明】
【技術分野】
【０００１】
本発明は、ディスク情報構造をさらに速やかに探すことが可能にする記録／再生装置、記録／再生方法及びその情報記録媒体に関する。
【背景技術】
【０００２】
一般的に、光ディスクは、非接触式で情報を記録／再生する光ピックアップ装置の情報記録媒体として広く採用され、情報記録容量によってＣＤ、ＤＶＤに区分される。そして、記録、消去及び再生が可能な光ディスクとしては、６５０ＭＢ  ＣＤ−Ｒ、ＣＤ−ＲＷ、４．７ＧＢ  ＤＶＤ＋ＲＷなどがあり、再生専用としては、６５０ＭＢＣＤ、４．７ＧＢ  ＤＶＤ−ＲＯＭなどがある。さらに、記録容量が２５ＧＢ以上であるＨＤ−ＤＶＤも開発されている。
【０００３】
このように、最近、光ディスク技術及び半導体技術の発達により、初期に光ディスクドライブシステム及び光ディスクを含む光システムのための規格が確定された後、新たな機能や、記録層の数、記録速度、そしてその他に記録ストラテジー（Ｗｒｉｔｅ  Ｓｔｒａｔｅｇｙ：ＷＳ）の追加が頻繁になり、この場合に、初期に確定された規格は、アップデートされねばならない。
【０００４】
図１は、従来技術により、ディスク互換性の問題点を説明するための参考図である。
【０００５】
既存規格を“オールド規格”とし、オールド規格に記録層の数、記録速度またはＷＳなどが追加されてアップデートされた規格を“ニュー規格”とするとき、オールド規格のディスク１１０は、オールド規格のドライブシステム１１１で動作され、ニュー規格のディスク１２０は、ニュー規格のドライブシステム１２１で動作されるように作られている。
【０００６】
オールド規格及びニュー規格は、追加された特徴、すなわち、記録層の数、記録速度またはＷＳのため、記録／再生の互換性を維持することもあり、そうではないこともある。二つの規格が記録／再生の互換性を有するということは、オールド規格のドライブシステム１１１で使われるオールド規格のディスク１１０が、ニュー規格のドライブシステム１２１でも記録／再生の可能を表し、また、ニュー規格のドライブシステム１２１で使われるニュー規格のディスク１２０が、オールド規格のドライブシステム１１１でも記録／再生の可能を表す。
【０００７】
このように、新たな特性の追加により、オールド規格とニュー規格、二つの規格間の相互記録／再生の互換性を保証するためには、オールド規格のドライブシステム１１１に新たな機能が適用されたニュー規格のディスク１２０がローディングされたとき、オールド規格のドライブシステム１１１がその新たな機能に対する適切な対応を行う必要性がある。このために、オールド規格の制定当時、新たな特性の追加に対する適切な対応を用意する必要性がある。また、このような適切な対応方案は、ニュー規格で適用可能な一般論でなければならない。その理由は、ニュー規格に新たな特性を追加して、さらに新たな規格にアップデートされたときにも、適用可能でなければならないためである。
【０００８】
結局、このように、新たな特性の追加による一連の色々な規格が相互記録／再生の互換性を有するためには、当初に規格を作るときに新たな特性の追加に備えねばならない。このために、現在の規格が知っている特性について、ドライブシステムが動作せねばならない規則と、現在の規格が知らない将来に追加される特性について、現在のドライブシステムが動作せねばならない共通的な規則とを定める必要がある。すなわち、相異なる規格のディスクでも、そのディスクの特性に関して共通に認識できる情報の形態でディスクに記録して置けば、これにより、現在の規格のドライブシステムに新たな特性が追加された未来のディスクがローディングされても、そのディスク上で認識可能な情報を読み取って、そのディスクを使用可能にする。
【０００９】
したがって、記録層の数や記録速度以外にＷＳなどのように変数が追加される場合において、ディスク情報構造の柔軟性及び拡張性を保証するためのディスク情報構造、及びディスク情報構造の記録方法が要求される。
【００１０】
また、一つの媒体に複数個のディスク情報構造が存在する場合に、このような複数個のディスク情報構造から記録特性に適したディスク情報構造を速やかに探すことが要求される。
【発明の開示】
【発明が解決しようとする課題】
【００１１】
本発明の目的は、前記のような問題点を解決して、ディスク情報構造を速やかに探し、ディスク情報構造の柔軟性及び拡張性を保証可能にする記録／再生装置、記録／再生方法、及びその情報記録媒体を提供するところにある。
【課題を解決するための手段】
【００１２】
前記課題を解決するための本発明の一つの特徴は、記録／再生装置において、一層以上の情報記録層を有する情報記録媒体にデータを記録するか、または前記媒体からデータを読み取る記録／読み取り部と、前記情報記録媒体に記録された、前記情報記録媒体の記録特性に対応する記録と関連したパラメータに関する情報、及び前記記録と関連したパラメータが適用される前記記録特性に関する情報を含む一つ以上のディスク情報構造を参照して、前記情報記録媒体にデータを記録するように、前記記録／読み取り部を制御する制御部とを備えることである。
【００１３】
前記記録特性に関する情報は、記録速度、記録層、ＷＳ識別情報のうち、少なくとも一つを含むことが望ましい。
【００１４】
前記記録特性に関する情報に含まれた前記記録速度と記録層とは、前記ディスク情報構造内にある記録と関連したパラメータを適用できる記録速度と記録層とを表すことが望ましい。
【００１５】
前記記録特性に関する情報に含まれた前記ＷＳ識別情報は、前記ディスク情報構造内にある記録と関連したパラメータで説明されるＷＳを表し、所定のＷＳ及び前記ＷＳと関連ない所定の機能の組み合わせを代表する情報を表すことが望ましい。
【００１６】
前記情報記録媒体は、再生専用のタイプ、再記録可能なタイプ、または１回記録可能なタイプのうち、いずれか一つである。
【００１７】
前記制御部は、前記記録／再生装置に適した記録と関連したパラメータを得るために、前記一つ以上のディスク情報構造に含まれた前記記録特性に関する情報から、前記記録／再生装置の記録特性に関する情報をさらに探すことが望ましい。
【００１８】
また、前記制御部は、前記記録／再生装置に適した記録特性を決定し、前記一つ以上のディスク情報構造から前記決定された記録特性に関する情報を含むディスク情報構造を探し、前記探したディスク情報構造に含まれた記録と関連したパラメータを利用して、前記情報記録媒体にデータを記録するように、前記記録／読み取り部をさらに制御することが望ましい。
【００１９】
本発明の他の特徴は、一層以上の情報記録層を有する情報記録媒体にデータを記録するか、または前記媒体からデータを読み取る記録／再生方法において、前記情報記録媒体に記録された、前記情報記録媒体の記録特性に対応する記録と関連したパラメータに関する情報、及び前記記録と関連したパラメータが適用される前記記録特性に関する情報を含む一つ以上のディスク情報構造を参照して、前記情報記録媒体にデータを記録するステップを含むことである。
【００２０】
本発明のさらに他の特徴は、一層以上の情報記録層を有する情報記録媒体において、前記情報記録媒体の記録特性に対応する記録と関連したパラメータに関する情報、及び前記記録と関連したパラメータが適用される前記記録特性に関する情報を含む一つ以上のディスク情報構造が、前記情報記録媒体の所定領域に記録されていることである。
【発明の効果】
【００２１】
本発明によれば、ディスク情報構造内に記録速度、記録層、ＷＳ識別情報を含む論理的なパラメータ認識情報テーブルを構成することによって、一つまたはそれ以上のディスク情報構造が記録されている媒体において、それぞれのディスク情報構造内のパラメータテーブル内にある記録と関連したパラメータが適用しようとする記録速度、記録層及び前記記録と関連したパラメータがいかなるＷＳに関するものであるかを、前記ディスク情報構造内のパラメータ認識情報テーブルから速やかに分かる。
【００２２】
また、今後のディスク規格で、記録速度、記録層、ＷＳを追加しても、そのようなディスク情報構造を拡張して保証できる。
【００２３】
また、このような規則を規格相互間に定めることによって、例えば一回記録媒体と再記録媒体との規格相互間にも互換性を有することができる。
【発明を実施するための最良の形態】
【００２４】
以下、添付された図面を参照して本発明を詳細に説明する。
【００２５】
図２は、本発明が適用されるディスクの構造図である。図２に示すように、ディスクの最内周には、リードイン領域が設けられ、最外周には、リードアウト領域が設けられ、リードイン領域とリードアウト領域との間にユーザーデータが記録されるユーザーデータ領域が設けられる。
【００２６】
リードイン領域は、ディスク製造時に、既に所定の情報が記録された予め記録された領域と、記録可能な領域とからなる。
【００２７】
記録可能な領域は、予め記録された領域と記録可能な領域との間のバッファリングの役割を行うバッファと、ユーザーデータ領域で発生した欠陥データを代替する代替データのアドレスなど欠陥に関する情報を記録するための欠陥管理領域と、ユーザーデータ領域にデータを記録するとき、最適の記録パワーを得るために検査可能に設けられたテスト領域と、ドライブまたはディスクの状態と関連した情報を記録するためのドライブ／ディスク状態情報領域とを備える。
【００２８】
予め記録された領域は、制御データが記録される制御データ領域であって、ディスク種類、バージョン情報、ディスクサイズ、ディスク構造、ディスク速度、及び記録パラメータ等に関する情報を含む。このような制御データ領域には、特に本発明によるディスク情報構造が記録されうる。本発明によるディスク情報構造は、図３を参照して説明する。
【００２９】
図３は、本発明によるディスク情報構造のデータ構造図である。
【００３０】
本発明では、ディスクがドライブに装着された後、最も効果的にディスクと関連した情報を読み取り可能に、図３に示すように、ディスク情報構造３００を共通情報テーブル３１０、パラメータ認識情報テーブル３２０、及びパラメータテーブル３３０に区分する。
【００３１】
共通情報テーブル３１０は、記録媒体の種類３１１、情報記録層の数３１２、対応可能な記録速度３１３に関する情報を含む。記録媒体の種類３１１は、一回記録媒体であるか、または再記録媒体であるか、または再生専用であるか等の情報を表す。情報記録層の数３１２は、この媒体が有している全体の情報記録層の数を表し、対応可能な記録速度３１３は、この媒体が支援している記録速度情報を表すが、その方法は、最低速度と最高速度で表すこともあり、また、それぞれの可能な記録速度情報それ自体、例えばこの媒体は、１、２、４、６倍速が可能であるということを表すこともある。
【００３２】
パラメータ認識情報テーブル３２０は、このディスク情報構造のパラメータテーブル３３０に保存されている記録と関連したパラメータが適用される記録速度３２１、記録層３２２、及び前記記録と関連したパラメータがいかなるＷＳであるかを表すＷＳ識別情報３２３を備える。
【００３３】
記録速度３２１は、このディスク情報構造のパラメータテーブル内にある記録と関連したパラメータが適用される記録速度を表し、記録層３２２は、このディスク情報構造のパラメータテーブル内にある記録と関連したパラメータが適用される記録層を表し、ＷＳ識別情報３２３は、このディスク情報構造のパラメータテーブル内に記録されているＷＳがいかなるＷＳであるかを表す。もちろん、このためには、それぞれのＷＳに対する代表番号は決まらねばならない。
【００３４】
ここで、ＷＳについての代表番号は、一つのＷＳに限定されるものではなく、ＷＳとは関係ない他の情報の追加により規格がアップデートされることによって、このような代表番号は、多様に増える。すなわち、最初の規格制定時、前記規格のためのディスクのディスク情報構造内のＷＳ識別情報が“１”を表せば、前記ディスク情報構造のパラメータテーブル内にある記録と関連したパラメータは、ＷＳ  Ａを表すという約束を決めることができる。以後に、新たな倍速の追加により、規格がアップデートされてＷＳ  Ｂが必要になれば、前記アップデートされた規格は、ＷＳ  ＡとＷＳ  Ｂの二つのＷＳを有するが、規格のアップデート時、必ずしも倍速とそれによるＷＳのみが追加されるものではないので、その他の情報（＋α）の追加が予想されうる。したがって、アップデートされた規格のためのディスクのディスク情報構造内のＷＳ識別情報が“２”を表せば、前記＋αという機能を備えた前記ディスク情報構造のパラメータテーブル内にある記録と関連したパラメータは、ＷＳ  Ａを表すという約束を行え、ディスク情報構造内のＷＳ識別情報が“３”を表せば、前記＋αという機能を備えた前記ディスク情報構造のパラメータテーブル内にある記録と関連したパラメータは、ＷＳ  Ｂを表すという約束を行える。このように、かかる約束により、ディスク情報構造がディスク上に記録される。このように、規格のアップデートにより、色々な種類の媒体が存在し、そのような媒体がドライブシステムにローディングされた時、ドライブシステムは、媒体上に記録されたディスク情報構造の再生において、ＷＳ識別情報が１または２であれば、前記ディスク情報構造のパラメータテーブル内にある記録と関連したパラメータは、ＷＳ  Ａを表すということが分かり、ＷＳ識別情報が３であれば、前記ディスク情報構造のパラメータテーブル内にある記録と関連したパラメータは、ＷＳ  Ｂを表すということが分かる。以後にも、規格のアップデートが進められるにつれて、ＷＳ  Ａを指称する代表番号とＷＳ  Ｂを指称する代表番号とは、規格制定時、約束により追加されうる。
【００３５】
パラメータテーブル３３０は、記録パラメータであって、記録開始時のパルス周期Ｔｔｏｐ、記録中間時のパルス周期Ｔｍｐ、記録終了時のパルス周期Ｔｃｌ、記録パワーＰｗ、消去パワーＰｅ、バイアスパワーＰｂ等を含み、特に、本発明により記録速度、記録層、ＷＳ識別情報を含む。さらに、前記パラメータテーブル３３０は、具現により、再生と関連したパラメータを含むことができる。
【００３６】
このように、本発明によるディスク情報構造では、パラメータ認識情報テーブルに記録速度、記録層、ＷＳ識別情報を置くことによって、ディスク情報構造がいかなる記録速度、いかなる記録層、そしていかなるＷＳに関するパラメータ情報を有するかを、パラメータ認識情報テーブルの認識のみでも分かる。すなわち、本発明は、記録と関連した情報を速やかに知れるように、ディスク情報構造のパラメータテーブルに記録されている記録速度、記録層、ＷＳがいかなるものであるかを、パラメータ認識情報テーブルに表す。
【００３７】
例えば、記録層の数が二つ、対応可能な記録速度が１倍速、ＷＳ１、ＷＳ２の二つのＷＳが存在するとしよう。この際、ディスクドライブは、パラメータ認識情報テーブルから、このディスク情報構造のパラメータテーブルに保存されている記録と関連したパラメータが、いかなる速度、いかなる記録層に適用しようとするかが分かり、また、ＷＳ識別情報からパラメータテーブルに保存されている記録と関連したパラメータを読み取らずとも、このディスク情報構造が適用しようとするＷＳがいかなるものであるかが分かる。すなわち、本発明は、パラメータ認識情報テーブル内にある記録速度フィールド及び記録層フィールドには、このディスク情報構造が適用しようとする記録速度及び記録層をそれぞれ表示し、前記ＷＳ１については、ＷＳ識別情報＝“１”、ＷＳ２については、ＷＳ識別情報＝“２”のように表すことによって、パラメータテーブルに保存されている記録と関連したパラメータが適用される記録速度、記録層が分かり、またパラメータテーブルにあるＴｔｏｐ、Ｔｍｐ、Ｔｃｌなどのような情報を一つ一つ読み取らずとも、少なくともこのディスク情報構造のパラメータテーブルに保存されている記録と関連したパラメータが、いかなるＷＳの記録と関連したパラメータであるかが分かる。
【００３８】
例えば、速度が１倍速であり、記録層０に記録しようとするドライブシステムは、ＷＳ１のみを支援するとすれば、このドライブシステムは、ディスク情報のうち、それぞれのディスク情報構造のパラメータ認識情報テーブルから、１倍速、記録層０、ＷＳ１に関するディスク情報を有しているディスク情報構造を探して、そのディスク情報構造のパラメータテーブルに明示されたＷＳ１のパラメータを利用して記録すればよい。これにより、ドライブシステムは、記録時に必要な記録と関連したパラメータ情報をパラメータ認識情報テーブルから速やかに探すことができるので、ディスク使用の向上を図ることができる。
【００３９】
図４は、本発明の一例により、ディスク情報構造の互換性を説明するための参考図である。
【００４０】
第１の規格で、当初の１倍速に適用可能なＷＳ識別情報を“１”と命名し（ＷＳはＷＳ  Ａ）、新たな倍速の追加、すなわち第１の規格からアップデートされた第２の規格のように２倍速が追加されることにより、２倍速に適用可能な新たなＷＳ  Ｂが追加される場合、そのＷＳ識別情報を“２”と命名し、また第２の規格からアップデートされた第３の規格のように４倍速が追加されることにより、４倍速に適用可能な、また２倍速にも適用可能な新たなＷＳ  ＣのＷＳ識別情報を“３”と命名する。このように、ＷＳの出現順序により、順次に番号を付与することによって、複数のＷＳを管理でき、規格間の互換性を容易にする。
【００４１】
すなわち、三つのＷＳ  Ａ、Ｂ、Ｃがあり、Ａ＝１、Ｂ＝２、Ｃ＝３でＷＳを識別する規則を定めたとすれば、ＷＳ識別情報が“１”であれば、ＷＳ  Ａを表し、ＷＳ識別情報が“２”であれば、ＷＳ  Ｂを表し、ＷＳ識別情報が“３”であれば、ＷＳ  Ｃを表す。
【００４２】
図４には、三つの規格のディスク（再記録の情報記録媒体）及びドライブシステムが示されている。
【００４３】
第１の規格であるバージョン１．０のディスク４１０は、１倍速、二つの記録層の数、ＷＳ  Ａの特性を有し、第２の規格であるバージョン１．１のディスク４２０は、１倍速、２倍速、二つの記録層の数、ＷＳ  Ａ、ＷＳ  Ｂの特性を有し、第３の規格であるバージョン１．２のディスク４３０は、１倍速、２倍速、４倍速、二つの記録層の数、ＷＳ  Ａ、ＷＳ  Ｂ、ＷＳ  Ｃの特性を有する。
【００４４】
このように、第１の規格から次第にアップデートされて第３の規格までアップデートされた時、ディスク情報構造がディスク情報領域に記録される順序及びＷＳ識別情報の用途を見れば、次の通りである。
【００４５】
まず、説明の便宜上、次のような事項を仮定する。
【００４６】
ＷＳ  Ａは、あらゆる規格で１倍速のみに適用でき、ＷＳ  Ｂは第２、第３の規格で２倍速のみを、ＷＳ  Ｃは、第３の規格で２倍速と４倍速とに適用できるとしよう。この際、それぞれの規格により、ディスク情報領域上に記録されるディスク情報構造の可能な数及び記録された形態が、それぞれ図５ないし図７に示されている。
【００４７】
図５は、図４に示したバージョン１．０のディスクに記録されるディスク情報構造の一例である。図５に示すように、全体のディスク情報構造は、ディスク情報構造＃１  ５１０、及びディスク情報構造＃２  ５２０を備える。
【００４８】
ディスク情報構造＃１  ５１０の共通情報テーブル５１１、ディスク情報構造＃２５２０の共通情報テーブル５２１は、いずれも記録媒体の種類＝“再記録”、情報記録層の数＝“２”、対応可能な記録速度＝“１”が記録されている。
【００４９】
ディスク情報構造＃１  ５１０のパラメータ認識情報テーブル５１２には、記録速度＝“１”、記録層＝“１”、ＷＳ識別情報＝“１”が記録されており、パラメータテーブル５１３には、パラメータ認識情報テーブル５１２に含まれている情報、すなわち（記録速度、記録層、ＷＳ識別情報）＝（１，１，１）に関する記録と関連したパラメータ情報が記録されている。ここで、記録速度＝１は、記録速度が１倍速を表し、記録層＝１は、二つの記録層のうち一つの層を表し、ＷＳ識別情報＝１は、ＷＳ  Ａを表す。
【００５０】
ディスク情報構造＃１  ５２０のパラメータ認識情報テーブル５２２には、記録速度＝“１”、記録層＝“２”、ＷＳ識別情報＝“１”が記録されており、パラメータテーブル５２３には、パラメータ認識情報テーブル５２２に含まれている情報、すなわち（記録速度、記録層、ＷＳ識別情報）＝（１，２，１）に関する記録と関連したパラメータ情報が記録されている。
【００５１】
図６は、図４に示したバージョン１．１のディスクに記録されるディスク情報構造の一例である。図６に示すように、全体のディスク情報構造は、ディスク情報構造＃１  ６１０、ディスク情報構造＃２  ６２０、ディスク情報構造＃３  ６３０、及びディスク情報構造＃４  ６４０を備える。
【００５２】
ディスク情報構造＃１  ６１０からディスク情報構造＃４  ６４０の共通情報テーブル（図示せず）には、いずれも記録媒体の種類＝“再記録”、情報記録層の数＝“２”、対応可能な記録速度＝“１，２”が記録されうる。
【００５３】
ディスク情報構造＃１  ６１０のパラメータ認識情報テーブル６１１には、記録速度＝“１”、記録層＝“１”、ＷＳ識別情報＝“１”が記録されており、パラメータテーブル６１２には、パラメータ認識情報テーブル６１１に含まれている情報、すなわち（記録速度、記録層、ＷＳ識別情報）＝（１，１，１）に関する記録と関連したパラメータ情報が記録されている。図６では、便宜上、Ｐ＝（記録速度、記録層、ＷＳ）の順序対を表し、例えばＰ＝（Ｖ，Ｌ，Ｎ）は、Ｖ倍速の記録速度、Ｌ番目の記録層、Ｎと命名されたＷＳを表す。前述したように、特定なＷＳを表すためのＮの値は、一つに限定されるものではなく、新たな情報の追加または規格のアップデートにより、約束により多様に存在できる。
【００５４】
ディスク情報構造＃２  ６２０のパラメータ認識情報テーブル６２１には、記録速度＝“１”、記録層＝“２”、ＷＳ識別情報＝“１”が記録されており、パラメータテーブル６２２には、パラメータ認識情報テーブル６２１に含まれている情報、すなわち（記録速度、記録層、ＷＳ識別情報）＝（１，２，１）に関する記録と関連したパラメータ情報が記録されている。
【００５５】
ディスク情報構造＃３  ６３０のパラメータ認識情報テーブル６３１には、記録速度＝“２”、記録層＝“１”、ＷＳ識別情報＝“２”が記録されており、パラメータテーブル６３２には、パラメータ認識情報テーブル６３１に含まれている情報、すなわち（記録速度、記録層、ＷＳ識別情報）＝（２，１，２）に関する記録と関連したパラメータ情報が記録されている。
【００５６】
ディスク情報構造＃４  ６４０のパラメータ認識情報テーブル６４１には、記録速度＝“２”、記録層＝“２”、ＷＳ識別情報＝“２”が記録されており、パラメータテーブル６４２には、パラメータ認識情報テーブル６４１に含まれている情報、すなわち（記録速度、記録層、ＷＳ識別情報）＝（２，２，２）に関する記録と関連したパラメータ情報が記録されている。
【００５７】
図７は、図４に示したバージョン１．２のディスクに記録されるディスク情報構造の一例である。図７に示すように、全体のディスク情報構造は、ディスク情報構造＃１  ７１０、ディスク情報構造＃２  ７２０、ディスク情報構造＃３  ７３０、ディスク情報構造＃４  ７４０、ディスク情報構造＃５  ７５０、ディスク情報構造＃６  ７６０、ディスク情報構造＃７  ７７０、及びディスク情報構造＃８  ７８０を備える。
【００５８】
ディスク情報構造＃１  ７１０からディスク情報構造＃８  ７８０の共通情報テーブル（図示せず）には、いずれも記録媒体の種類＝“再記録”、情報記録層の数＝“２”、対応可能な記録速度＝“１，２，４”が記録されうる。
【００５９】
ディスク情報構造＃１  ７１０のパラメータ認識情報テーブル７１１には、記録速度＝“１”、記録層＝“１”、ＷＳ識別情報＝“１”が記録されており、パラメータテーブル７１２には、パラメータ認識情報テーブル７１１に含まれている情報、すなわち（記録速度、記録層、ＷＳ識別情報）＝（１，１，１）に関する記録と関連したパラメータ情報が記録されている。ここで、記録速度＝１は、記録速度が１倍速を表し、記録層＝１は、二つの記録層のうち一つの層を表し、ＷＳ識別情報＝１は、ＷＳ  Ａを表す。
【００６０】
ディスク情報構造＃２  ７２０のパラメータ認識情報テーブル７２１には、記録速度＝“１”、記録層＝“２”、ＷＳ識別情報＝“１”が記録されており、パラメータテーブル７２２には、パラメータ認識情報テーブル７２１に含まれている情報、すなわち（記録速度、記録層、ＷＳ識別情報）＝（１，２，１）に関する記録と関連したパラメータ情報が記録されている。
【００６１】
ディスク情報構造＃３  ７３０のパラメータ認識情報テーブル７３１には、記録速度＝“２”、記録層＝“１”、ＷＳ識別情報＝“２”が記録されており、パラメータテーブル７３２には、パラメータ認識情報テーブル７３１に含まれている情報、すなわち（記録速度、記録層、ＷＳ識別情報）＝（２，１，２）に関する記録と関連したパラメータ情報が記録されている。
【００６２】
ディスク情報構造＃４  ７４０のパラメータ認識情報テーブル７４１には、記録速度＝“２”、記録層＝“２”、ＷＳ識別情報＝“２”が記録されており、パラメータテーブル７４２には、パラメータ認識情報テーブル７４１に含まれている情報、すなわち（記録速度、記録層、ＷＳ識別情報）＝（２，２，２）に関する記録と関連したパラメータ情報が記録されている。
【００６３】
ディスク情報構造＃５  ７５０のパラメータ認識情報テーブル７５１には、記録速度＝“２”、記録層＝“１”、ＷＳ識別情報＝“３”が記録されており、パラメータテーブル７５２には、パラメータ認識情報テーブル７５１に含まれている情報、すなわち（記録速度、記録層、ＷＳ識別情報）＝（２，１，３）に関する記録と関連したパラメータ情報が記録されている。
【００６４】
ディスク情報構造＃６  ７６０のパラメータ認識情報テーブル７６１には、記録速度＝“２”、記録層＝“２”、ＷＳ識別情報＝“３”が記録されており、パラメータテーブル７６２には、パラメータ認識情報テーブル７６１に含まれている情報、すなわち（記録速度、記録層、ＷＳ識別情報）＝（２，２，３）に関する記録と関連したパラメータ情報が記録されている。
【００６５】
ディスク情報構造＃７  ７７０のパラメータ認識情報テーブル７７１には、記録速度＝“４”、記録層＝“１”、ＷＳ識別情報＝“３”が記録されており、パラメータテーブル７７２には、パラメータ認識情報テーブル７７１に含まれている情報、すなわち（記録速度、記録層、ＷＳ識別情報）＝（４，１，３）に関する記録と関連したパラメータ情報が記録されている。
【００６６】
ディスク情報構造＃８  ７８０のパラメータ認識情報テーブル７８１には、記録速度＝“４”、記録層＝“２”、ＷＳ識別情報＝“３”が記録されており、パラメータテーブル７８２には、パラメータ認識情報テーブル７８１に含まれている情報、すなわち（記録速度、記録層、ＷＳ識別情報）＝（４，２，３）に関する記録と関連したパラメータ情報が記録されている。
【００６７】
一般的に、新たなＷＳは、新たな倍速の追加により要求されるが、前述したような本発明により、ディスク情報構造を定義し、また媒体上に記録することによって、規格間の互換性を保証できる。
【００６８】
例えば、第３の規格により作られた再記録の情報記録媒体４３０が第２の規格を支援するドライブシステム４２１にローディングされれば、ドライブシステム４２１は、再記録の情報記録媒体４３０のディスク情報領域に記録されているディスク情報構造のうち、第２の規格に該当するディスク情報構造をパラメータ情報認識テーブルから迅速かつ互換性を有して得ることができる。すなわち、再記録の情報記録媒体４３０がドライブシステム４２１にローディングされた場合、ドライブシステム４２１が記録速度の２倍速で媒体４３０の一番目の記録層に記録しようとすれば、ドライブシステム４２１は、媒体４３０のディスク情報領域のディスク情報構造のうち、パラメータ認識情報テーブルの値が（記録速度、記録層、ＷＳ識別情報）＝（２，１，２）を表すディスク情報構造を先に探し、このディスク情報構造のパラメータテーブル内にある記録と関連したパラメータを参照して記録できる。ＷＳ識別情報＝“２”であるディスク情報構造を探した理由は、第２の規格を支援するドライブシステムで２倍速に適用可能なＷＳは、ＷＳ  Ｂだけであるためである。そして、本例で、ＷＳ  Ｂを指称する代表番号は、“２”だけである。
【００６９】
このようにディスク情報構造を運用することによって、他の媒体との互換性はもとより、拡張性まで保証可能であるので、今後、記録層の数の増加、記録速度の多様化、色々な種類のＷＳの出現にも対応できるという長所を有する。そして、このような規則を定めることによって、再記録の情報記録媒体と一回記録の情報記録媒体との規格間に統一性及び互換性を有することができる。
【００７０】
前述したような複数のディスク情報構造は、ディスクのディスク情報領域に記録されるが、このようなディスク情報構造は、媒体製造時に予め記録される。例えば、図２に示すように、リードイン領域の予め記録された領域に記録されうる。しかし、それは、例示に過ぎず、今後に現れるディスクにおいて、ディスク情報構造を含むことができる領域であれば、いかなる領域であってもよい。
【００７１】
また、前述したようなディスク情報構造の説明は、ディスク情報構造の論理的な構造を意味するものであり、物理的な構造を限定するものではない。すなわち、実際にディスク情報構造が共通情報テーブル、パラメータ認識情報テーブル、パラメータテーブルの物理的領域に分けられているということを限定するものではなく、ディスク情報構造に保存されている情報を本発明による例のように論理的に区分できるということを意味する。
【００７２】
次に、このように、本発明によるディスク情報構造が記録されたディスクにデータを記録して再生する装置の一例を、図８を参照して説明する。
【００７３】
図８は、本発明による記録／再生装置の一例を示す。図８に示すように、記録／再生装置は、記録／読み取り部２、及び制御部１を備える。
【００７４】
記録／読み取り部２は、ピックアップなどを備え、本発明によるディスク情報構造が記録された光記録の情報記録媒体であるディスク１００にデータを記録し、ディスク１００に記録されたデータを読み取る。
【００７５】
制御部１は、所定のファイルシステムにより、ディスク１００にデータを記録して読み取るように、記録／読み取り部２を制御する。特に、本発明による制御部１は、ディスク１００がローディングされた場合、ディスク１００から保存された複数のディスク情報構造を読み取って、このディスク情報構造からこの記録／再生装置に適したディスク情報構造を探し、その探したディスク情報構造のパラメータを利用して、ディスク１００にデータを記録するか、またはこのディスク１００からデータを読み取るように制御する。
【００７６】
制御部１は、システム制御器１０、ホストＩ／Ｆ  ２０、ＤＳＰ（デジタル信号プロセッサ）３０、ＲＦ  ＡＭＰ  ４０、及びサーボ５０を備える。
【００７７】
記録時、ホストＩ／Ｆ  ２０は、ホストから所定の記録命令を受信して、それをシステム制御器１０に伝送する。システム制御器１０は、ホストＩ／Ｆ  ２０から受信された記録命令を行うために、ＤＳＰ  ３０とサーボ５０とを制御する。ＤＳＰ  ３０は、ホストＩ／Ｆ  ２０から受けた記録するデータを、エラー訂正のためにパリティなど付加データを添加し、ＥＣＣ（エラー訂正符号）エンコーディングを行って、エラー訂正ブロックであるＥＣＣブロックを生成した後、それを既定の方式で変調する。ＲＦ  ＡＭＰ  ４０は、ＤＳＰ
３０から出力されたデータをＲＦ信号に変える。ピックアップを備えた記録／読み取り部２は、ＲＦ  ＡＭＰ  ４０から伝送されたＲＦ信号をディスク１００に記録する。サーボ５０は、システム制御器１０からサーボ制御に必要な命令を入力されて、記録／読み取り部２のピックアップをサーボ制御する。特に、本発明によるシステム制御器１０は、ディスク１００に記録された複数のディスク情報構造を読み取って、このディスク情報構造のパラメータ認識情報テーブルから、この記録／再生装置に適したディスク情報構造を探す。例えば、システム制御器１０は、パラメータ認識情報テーブルに記録された記録速度、記録層、ＷＳ識別情報を探して、自体の記録速度、記録する層、また自体が支援できるＷＳのＷＳ識別情報と同一な情報が含まれているパラメータ認識情報テーブルを探し、そのパラメータ認識情報テーブルが含まれているディスク情報構造のパラメータテーブルに含まれている記録と関連したパラメータを参照して、制御部１の各構成要素をセッティングするように制御して、これにより、ディスク１００にデータを記録するように制御する。
【００７８】
再生時、ホストＩ／Ｆ  ２０は、ホストから再生命令を受ける。システム制御器１０は、再生に必要な初期化を行う。記録／読み取り部２は、ディスク１００にレーザビームを照射し、ディスク１００から反射されたレーザビームを受光して得られた光信号を出力する。ＲＦ  ＡＭＰ  ４０は、記録／読み取り部２から出力された光信号をＲＦ信号に変え、ＲＦ信号から得られた変調されたデータをＤＳＰ  ３０に提供する一方、ＲＦ信号から得られた制御のためのサーボ信号をサーボ５０に提供する。ＤＳＰ  ３０は、変調されたデータを復調し、ＥＣＣエラー訂正を経て得られたデータを出力する。一方、サーボ５０は、ＲＦ  ＡＭＰ４０から受けたサーボ信号と、システム制御器１０から受けたサーボ制御に必要な命令とを受けて、ピックアップについてのサーボ制御を行う。ホストＩ／Ｆ  ２０は、ＤＳＰ  ３０から受けたデータをホストに送信する。特に、本発明によるシステム制御器１０は、ディスク１００に記録された複数のディスク情報構造を読み取って、このディスク情報構造のパラメータ認識情報テーブルから、この記録／再生装置に適したディスク情報構造を探す。図３ないし図７を参照して、主に記録と関連したパラメータについて説明したが、データ再生時、再生と関連したパラメータが複数存在する場合には、記録と関連したパラメータが記録されたディスク情報構造と同様に再生と関連したパラメータにも適用できる。例えば、システム制御器１０は、パラメータ認識情報テーブルに記録された再生と関連した識別情報を探して、自体の再生特性に適した情報が含まれているパラメータ認識情報テーブルを探し、そのパラメータ認識情報テーブルが含まれているディスク情報構造のパラメータテーブルに含まれている再生と関連したパラメータを参照して、制御部１の各構成要素をセッティングするように制御して、これにより、ディスク１００に記録されたデータを再生するように制御できる。
【００７９】
図８に示した記録／再生装置は、個別的な記録装置、再生装置で具現されることもあり、一つの記録及び再生装置で具現されることもある。
【００８０】
図９は、本発明による記録／再生方法の過程を示すフローチャートである。
【００８１】
まず、ドライブシステムにディスクがローディングされる（ステップ９１０）。
【００８２】
ドライブシステムのシステム制御器１０は、このドライブシステムに適した記録環境を決定する（ステップ９２０）。例えば、このドライブシステムがどの程度の記録速度を支援するか、ディスクのどの記録層に記録するか、このドライブシステムが支援するＷＳが何かなどを決定できる。もちろん、ここで決定するということは、このドライブシステムの内部メモリに含まれているそのような値を単純に読み取ることを含む意味である。
【００８３】
次に、システム制御器１０は、ディスクのディスク情報領域にあるパラメータ認識情報テーブルから、前記決定された記録環境に対応するディスク情報構造を探す（ステップ９３０）。すなわち、システム制御器１０は、ディスクのディスク情報領域に記録されているディスク情報構造を読み取って、そのディスク情報構造から前記決定された記録環境、すなわち、記録層、記録速度、ＷＳ識別情報のような情報が含まれているパラメータ認識情報テーブルを探す。
【００８４】
次に、システム制御器１０は、探したパラメータ認識情報テーブルが属するディスク情報構造のパラメータテーブルから、記録と関連したパラメータ情報を読み取る（ステップ９４０）。
【００８５】
そして、システム制御器１０は、このように読み取ったパラメータ情報を参照してドライブシステムをセッティングし、そのセッティング状態でディスクにデータを記録するように、ドライブシステムを制御する（ステップ９５０）。
【００８６】
前述したような記録方法及び再生方法は、またコンピュータで読み取り可能な記録媒体に、コンピュータが読み取り可能なコードとして具現することが可能である。コンピュータが読み取り可能な記録媒体は、コンピュータシステムによって読み取られるデータが保存されるあらゆる種類の記録装置を含む。コンピュータが読み取り可能な記録媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じた伝送）の形態で具現されることも含む。また、コンピュータが読み取り可能な記録媒体は、ネットワークに連結されたコンピュータシステムに分散されて、分散方式でコンピュータが読み取り可能なコードが保存されて実行されうる。そして、前記記録／再生方法を具現するための機能的なプログラム、コード及びコードセグメントは、本発明が属する技術分野のプログラマにより容易に推論されうる。
【００８７】
これまで、本発明について、その望ましい実施形態を中心に述べた。当業者は、本発明が、本発明の本質的な特性から逸脱しない範囲で、変形された形態で具現可能であるということを理解できるであろう。したがって、開示された実施形態は、限定的な観点ではなく、説明的な観点で考慮されねばならない。本発明の範囲は、前述した説明ではなく、特許請求の範囲に表れており、それと同等な範囲内にあるあらゆる差異点は、本発明に含まれているものと解釈されねばならない。
【産業上の利用可能性】
【００８８】
本発明は、データを保存する情報記録媒体、及びその媒体にデータを記録するか、またはその記録媒体からデータを再生する記録／再生装置に関連の技術分野に利用可能である。
【図面の簡単な説明】
【００８９】
【図１】従来技術によりディスク互換性の問題点を説明するための参考図である。
【図２】本発明が適用されるディスクの構造図である。
【図３】本発明によるディスク情報構造のデータ構造図である。
【図４】本発明の一例により、ディスク情報構造の互換性を説明するための参考図である。
【図５】図４に示したバージョン１．０ディスクに記録されるディスク情報構造の一例である。
【図６】図４に示したバージョン１．１ディスクに記録されるディスク情報構造の一例である。
【図７】図４に示したバージョン１．２ディスクに記録されるディスク情報構造の一例である。
【図８】本発明による記録／再生装置の一例である。
【図９】本発明による記録／再生方法の過程を示すフローチャートである。
【符号の説明】
【００９０】
３００  ディスク情報構造
３１０  共通情報テーブル
３１１  記録媒体の種類
３１２  情報記録層の数
３１３  対応可能な記録速度
３２０  パラメータ認識情報テーブル
３２１  記録速度
３２２  記録層
３２３  ＷＳ識別情報
３３０  パラメータテーブル
【図１】
2008159264.tif 000003
【図２】
2008159264.tif 000004
【図３】
2008159264.tif 000005
【図４】
2008159264.tif 000006
【図５】
2008159264.tif 000007
【図６】
2008159264.tif 000008
【図７】
2008159264.tif 000009
【図８】
2008159264.tif 000010
【図９】
2008159264.tif 000011